(57)【特許請求の範囲】
【請求項１】
防水下地上に固定された防水シート固定金具の上面に接着材で防水シートを固定して形成してある防水層を改修する防水層改修方法であって、
前記防水シートの固定部の外周に切れ目を入れて切り抜き、切り抜き部分の防水シートを前記防水シート固定金具から取り除いた後、前記防水シート固定金具上面に、ホットメルト接着用シートを配置した状態で改修用の改修防水シートを敷設し、その改修防水シートの上方から電磁加熱によって前記防水シート固定金具を加熱することによって、前記ホットメルト接着用シートを融かして前記改修防水シートを前記防水シート固定金具に接着して新防水層を形成する防水層改修方法。
【請求項２】
前記防水シート固定金具から切り抜き部分の防水シートを取り除く際、電磁加熱によって前記防水シート固定金具を加熱する請求項１に記載の防水層改修方法。
【発明の詳細な説明】
【０００１】
【発明の属する技術分野】
本発明は、防水下地上に固定された防水シート固定金具の上面に接着材で防水シートを固定して形成してある防水層を改修する防水層改修方法に関する。
【０００２】
【従来の技術】
従来、この種の防水層改修方法としては、図７に示すように、既にある防水層４は、そのままの状態で残しておき、その上から防水下地２に対して、新たに、防水シート固定金具３を固定し、その防水シート固定金具３の上面に接着材で新しい防水シート９を固定して防水層を改修する方法を採っていた。
【０００３】
【発明が解決しようとする課題】
上述した従来の防水層改修方法によれば、新たに防水シート固定金具を防水下地に固定する際に、例えば、ホールインアンカーや、コンクリート釘等の固定材を使用して実施するわけであるが、これらの固定材の設置に伴っては、ドリル等で防水下地に穴を開けたり、又は、ハンマーで強く打ち込んだりする必要があり、その際、騒音が発生する問題点がある。即ち、建物を使用しながら防水層を改修するような場合、前記騒音は、下階の人に不快感を与えやすい。
更には、新たに防水シート固定金具や固定材が必要となり、防水層改修コストの増大を招き易い問題点がある。
【０００５】
従って、本発明の目的は、上記問題点を解消し、大きな騒音を発せずに防水層改修工事を実施することができる防水層改修方法を提供するところにある。
【０００６】
【課題を解決するための手段】
請求項１の発明の特徴手段は、図４〜６に例示するごとく、防水下地２上に固定された防水シート固定金具３の上面に接着材で防水シート４を固定して形成してある防水層Ｐ１を改修する防水層改修方法において、前記防水シート４の固定部の外周に切れ目４ａを入れて切り抜き、切り抜き部分の防水シート４Ａを前記防水シート固定金具３から取り除いた後、前記防水シート固定金具３上面に、ホットメルト接着用シート８を配置した状態で改修用の改修防水シート９を敷設し、その改修防水シート９の上方から電磁加熱によって前記防水シート固定金具３を加熱することによって、前記ホットメルト接着用シート８を融かして前記改修防水シート９を前記防水シート固定金具３に接着して新防水層Ｐ２を形成するところにある。
【０００７】
請求項１の発明の特徴手段によれば、前記防水シートの固定部の外周に切れ目を入れて切り抜き、切り抜き部分の防水シートを前記防水シート固定金具から取り除いた後、前記防水シート固定金具上面に、ホットメルト接着用シートを配置した状態で改修用の改修防水シートを敷設し、その改修防水シートの上方から電磁加熱によって前記防水シート固定金具を加熱することによって、前記ホットメルト接着用シートを融かして前記改修防水シートを前記防水シート固定金具に接着して新防水層を形成するから、新たに防水シート固定金具を使用することなく、従来のものをそのまま利用しながら新防水層を形成することが可能となる。
従って、新しい防水シート固定金具を用意したり、用意したものを防水下地に取り付けたりしなくてもよくなり、材料コスト・施工コストの低減化を図ることが可能となる。
更には、新しい防水シート固定金具を設置しなくても既に設置されている防水シート固定金具を利用して防水シートを固定できるから、固定金具固定用のホールインアンカーや、コンクリート釘等の固定材を新たに設置する必要もなくなり、それに伴って、従来の騒音発生のもととなっていたドリリングによる防水下地への穴開けや、ハンマーによる釘打ちを実施しなくてもよくなって、静かに工事を進めることが可能となる。
【０００８】
請求項２の発明の特徴手段は、前記防水シート固定金具３から切り抜き部分の防水シート４Ａを取り除く際、電磁加熱によって前記防水シート固定金具３を加熱するところにある。
【０００９】
請求項２の発明の特徴手段によれば、請求項１の発明による作用効果を叶えることができるのに加えて、例えば、元々設置してあった防水シートがホットメルト接着材で防水シート固定金具に接着してある場合や、防水シート固定金具の表面に塩ビコーティングを施してあるような場合には、前記防水シート固定金具を加熱することによって、前記ホットメルト接着材部分や塩ビコーティング部分を簡単に融かしたり、軟らかくすることが可能となり、防水シートを取り除く作業を、より簡単に迅速に実施することができるようになる。
しかも、防水シートそのものを比較的きれいに取り除くことが可能となり、防水層改修作業を効率よく実施できると共に、防水シート固定金具表面に、接着の障害となるものが残り難いから、改修後の防水シートの接着力も高く期待することが可能となる。
【００１２】
尚、上述のように、図面との対照を便利にするために符号を記したが、該記入により本発明は添付図面の構成に限定されるものではない。
【００１３】
【発明の実施の形態】
以下に本発明の実施の形態を図面に基づいて説明する。尚、図面において従来例と同一の符号で表示した部分は、同一又は相当の部分を示している。
【００１４】
図１は、本発明の防水層改修方法を実施する前の建物の屋上スラブ１を示す断面図で、鉄筋コンクリート製のスラブ本体（防水下地に相当）２上に、防水シート固定金具３を介して防水シート４を接着して防水層Ｐ１を形成してある状況を示すものである。
【００１５】
前記スラブ本体２は、当該実施形態においては、上述のように屋上部分のスラブに該当し、鉄筋コンクリート構造のスラブの他、ＡＬＣ板を敷き並べて形成したスラブや、デッキプレートや金属折板とコンクリートを組み合わせて形成したスラブや、更には、それらの上に断熱層を積層させたもの等、様々な実施形態が挙げられる。
そして、スラブ本体２は、前記防水シート固定金具３を固定するためのビスＢを抜け止め状態に支持できるものであることが好ましい。
【００１６】
前記防水シート固定金具３は、例えば、図２・３に示すように、直径５０ｍｍ程度のステンレス鋼製円板の上面にポリエステル樹脂等の溶けて接着性を発揮する熱可塑性合成樹脂からなるホットメルト接着層Ｈを被覆したワッシャ本体３Ａによって構成してある。
また、ワッシャ本体３Ａはその中心にビス固定用の座繰り凹部５Ａ、及び、その底部分に固定用ビスＢの取付孔６が形成され、ワッシャ本体３Ａの上面は、座繰り凹部５Ａの周りに所定幅隔てて環状凹部５Ｂが形成されている。
尚、ワッシャ本体３Ａは、板金をプレス加工して図のような起伏形状に成形されており、前記座繰り凹部５Ａや環状凹部５Ｂ等の凹部５を形成してあることによって、平板のままより断面二次モーメントが増加し、薄板であっても強度の高いワッシャ本体を構成することが可能となっている。
また、前記ワッシャ本体３Ａの上面は、上述のホットメルト接着層Ｈを被覆して接着部７として構成してある。
そして、ワッシャ本体３Ａは、スラブ本体２上に、縦横に所定の間隔を開けた各位置に配置され、前記取付孔６を通してビス止めしてある。
【００１７】
前記防水シート４は、例えば、ＰＶＣシートによって構成してあり、工場で所定幅寸法の長尺体防水シートを巻き取ってロール体を形成しておき、そのロール体を現場で広げながら配置し、隣接する各防水シート４相互の側縁部どうしを接着することで大面積の防水シートとすることができる。勿論、予め、敷設する対象面積に合わせて一体品の防水シートを形成しておくものであってもよいし、また、素材に関しても、ＰＶＣ以外にも、ゴムやＴＰＥ（サーモ・プラスチック・エラストマ）製のシート、又は、その他の素材からなる防水シートであってもよい。
【００１８】
そして、スラブ本体２への防水シート４の固定は、ワッシャ本体３Ａの上に被さった防水シート４部分上方に磁気加熱装置をセットして、ワッシャ本体３Ａを磁気加熱することによって、前記ホットメルト接着層Ｈを溶かし、ワッシャ本体３Ａと防水シート４とを接着することができる（図１・４参照）。
【００１９】
以上のような防水層Ｐ１も、耐久年が経過するに伴って、改修する必要があり、図５・６は、本発明の防水層改修方法を実施した後の屋上スラブ１を示す断面図である。
防水層Ｐ１の改修手順は、前記防水シート４の固定部の外周に切れ目４ａを入れて切り抜き、切り抜き部分の防水シート４Ａを前記ワッシャ本体３Ａから取り除いた後、前記ワッシャ本体３Ａ上面に、ホットメルト接着用シート８を配置した状態で改修用の改修防水シート９を敷設し、その改修防水シート９の上方から電磁加熱によって前記ワッシャ本体３Ａを加熱することによって、前記ホットメルト接着用シート８を融かして前記改修防水シート９を前記ワッシャ本体３Ａに接着して新防水層Ｐ２を形成するものである。
【００２０】
従って、防水層の改修を実施した後の防水構造は、ワッシャ本体３Ａ設置部分以外は、改修防水シート９の下方に既存の防水シート４が位置した二重層となっており、既存の防水シート４が改修防水シート９の下地材の役割を果たすことが可能となる。即ち、前記改修防水シート９は、全体的に既存の防水シート４の厚み寸法分嵩上げされたことになり、ワッシャ本体３Ａ周囲部分での段差がつき難くなり、滑らかな防水面を形成することが可能となる。その結果、例えば、改修防水シート９上を人や荷物が移動するにしても、ワッシャ本体３Ａ部分の段差が少ない分、引っ掛かったり、防水層を傷付けたりし難い。
【００２１】
〔別実施形態〕
以下に他の実施の形態を説明する。
【００２２】
〈１〉  本発明の防水層改修方法、及び、防水構造の対象となるのは、先の実施形態で説明した屋上スラブに限るものではなく、例えば、一般階のスラブや、バルコニーや、駐車場の床や、遊泳プール床・周壁等、防水層が設置される各種部分に適応させることができる。
〈２〉  前記防水シート固定金具は、先の実施形態で説明したものに限るものではなく、例えば、形状としては、円板以外にも、角板や、帯板形状等、様々な形状を採用することができる。また、素材は、ステンレス鋼に限るものではなく他の金属によって構成してあったり、表面に塩ビ被覆を施した塩ビ鋼板であってもよい。また別の実施形態として、防水シート固定金具本体は、例えば、合成樹脂で構成して、その本体の表面に、金属膜を形成して防水シート固定金具を構成するものであってもよく、要するに、改修防水シート９の上方からの電磁加熱によって加熱できて、その熱によって、前記ホットメルト接着用シート８を融かして前記改修防水シート９を前記防水シート固定金具３に接着して新防水層Ｐ２を形成できるものであればよく、それらを含めて、防水シート固定金具と総称する。
但し、本願発明の防水構造においては、ホットメルト接着層を使用せずに、接着材をワッシャ本体の上面に塗布しながら接着する形態をとる場合には、ワッシャ本体としては、金属以外に、合成樹脂等を採用することも可能である。
また、ワッシャ本体の防水下地への固定に関しては、ビス固定に限るものではなく、アンカーボルトや、釘、接着材等の手段によって固定することも可能である。
【図面の簡単な説明】
【図１】防水層の形成状況を示す説明図
【図２】防水シート固定金具を示す斜視図
【図３】防水シート固定金具を示す断面図
【図４】防水層の形成状況を示す断面図
【図５】防水層の改修状況を示す断面図
【図６】防水構造を示す断面図
【図７】従来の防水層改修状況を示す断面図
【符号の説明】
２      防水下地
３      防水シート固定金具
４      防水シート
４ａ    切れ目
４Ａ    切り抜き部分の防水シート
８      ホットメルト接着用シート
９      改修防水シート
Ｐ１    防水層
Ｐ２    新防水層
【図１】
0004652543.tif 000002
【図２】
0004652543.tif 000003
【図３】
0004652543.tif 000004
【図４】
0004652543.tif 000005
【図５】
0004652543.tif 000006
【図６】
0004652543.tif 000007
【図７】
0004652543.tif 000008